【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
腹膜透析システム用の流体ライン接続システムであって、
流体ハンドリングカセットであって、
その第１側部に凹みとして形成された少なくとも１つのポンプチャンバと、複数の流体用流路とを有する略平坦な本体と、
前記本体の第１端部に配置された複数の透析溶液ラインスパイクであって、少なくとも１つの流路を介して前記少なくとも１つのポンプチャンバと流体連通しており、また、前記流体ハンドリングカセットの前記略平坦な本体とほぼ同平面に並ぶように配設されている、前記複数の透析溶液ラインスパイクと、
複数の溶液ラインを受容するように設けられたキャリッジであって、各溶液ラインがコネクタ端部を有し、前記キャリッジは、溶液ラインのコネクタ端部をこれに対応するスパイクと自動的に流体接続させるように設けられている、前記キャリッジと
を含む、前記流体ハンドリングカセットを備える、流体ライン接続システム。
【請求項２】
前記キャリッジは、前記溶液ラインとこれに対応するキャップを、前記流体ハンドリングカセットの前記略平坦な本体と実質的に平行な第１方向に沿って移動させるように設けられている、請求項１に記載の流体ライン接続システム。
【請求項３】
前記キャリッジは、対応する溶液ラインをそれぞれ受容する複数の溝を含む、請求項１〜２のいずれか一項に記載の流体ライン接続システム。
【請求項４】
前記システムの構成部品を包囲するハウジングと、前記ハウジングに可動に取り付けられたドアとをさらに備える、請求項１に記載の流体ライン接続システム。
【請求項５】
前記キャリッジは前記ドアに取り付けられている、請求項４に記載の流体ライン接続システム。
【請求項６】
前記ハウジングに取り付けられたキャリッジ駆動部をさらに備えており、前記キャリッジ駆動部は、前記ドアが閉鎖位置へ移動される際に前記キャリッジと係合し、前記ドアが開放位置へ移動された際に脱係合する、請求項５に記載の流体ライン接続システム。
【請求項７】
対応するスパイクを被覆するための複数のスパイクキャップをさらに備える、請求項１〜６の何れか一項に記載の流体ライン接続システム。
【請求項８】
対応する溶液ラインのコネクタ端部をそれぞれ被覆するための複数の溶液ラインキャップをさらに備える、請求項１〜７の何れか一項に記載の流体ライン接続システム。
【請求項９】
前記溶液ラインのコネクタ端部から１つ以上のキャップを除去するように設けられたキャップストリッパをさらに備える、請求項８に記載の流体ライン接続システム。
【請求項１０】
前記カセットのスパイクから１つ以上のスパイクキャップを除去するように設けられたキャップストリッパをさらに備える、請求項８に記載の流体ライン接続システム。
【請求項１１】
前記キャップストリッパは、溶液ラインのコネクタ端部から１つ以上のキャップを除去するように、および、前記１つ以上のキャップを対応する前記スパイクキャップに固定したままで、前記カセットのスパイクから１つ以上のスパイクキャップを除去するように設けられている、請求項９又は１０に記載の流体ライン接続システム。
【請求項１２】
前記キャップストリッパは前記ハウジングに取り付けられており、また、前記キャリッジ駆動部と共に第１方向へ移動できるよう、前記キャリッジ駆動部と係合可能である、請求項９〜１１の何れか一項に記載の流体ライン接続システム。
【請求項１３】
前記キャリッジは、前記溶液ラインとこれに対応するキャップを第１方向へ移動し、前記キャップが、前記ドアに取り付けられた流体ハンドリングカセットのスパイクキャップを受容できるようにするべく設けられている、請求項１２に記載の流体ライン接続システム。
【請求項１４】
前記キャップストリッパは、第２方向へ移動して前記キャリッジに経路を空け、前記キャリッジが前記第１方向に沿って前記カセットに向かって移動して、溶液ラインコネクタ端部を、前記カセットからスパイクキャップが除去されたために前記カセット上で露出したスパイクと係合させられるように設けられている、請求項１３に記載の流体ライン接続システム。
【請求項１５】
前記複数の溶液ラインは少なくとも１本の透析液ラインを含んでいる、請求項１〜１４の何れか一項に記載の流体ライン接続システム。
【請求項１６】
医療注液流体ハンドリングシステムにおいて流体ラインを接続する方法であって、
コネクタ端部とキャップとを各々有する複数の溶液ラインを提供することと、
各々がスパイクキャップで覆われた複数のスパイクを有する流体ハンドリングカセットを提供することと、
人が前記キャップまたはスパイクキャップに触れることができない空間において、前記複数の溶液ラインの前記コネクタ端部を、前記コネクタ端部を被覆するキャップで包囲すること、および、前記複数のスパイクを、前記スパイクを被覆するスパイクキャップで包囲することと、
前記キャップまたはコネクタをスペースから取り出さずに、前記複数の溶液ラインの前記コネクタ端部から前記キャップを除去することと、
前記スパイクキャップまたはスパイクを前記空間から取り出さずに、前記スパイクから前記スパイクキャップを除去することと、
前記キャップを前記スパイクキャップの対応するキャップと係合させることと、
前記コネクタ端部とスパイクを前記空間内に留め、人による接触から保護した状態で、前記複数のコネクタ端部を対応するスパイクと流体接続させることと、
を備える、方法。
【請求項１７】
前記複数のコネクタ端部を前記対応するスパイクから脱係合させることと、
前記複数のコネクタ端部上の前記キャップ、および、前記対応するスパイク上の前記スパイクキャップを交換することと
をさらに備える、請求項１６に記載の方法。
【請求項１８】
前記流体ハンドリングカセットは、少なくとも１本の溶液ライン内に提供された流体を移動させる少なくとも１つのポンプを含み、前記ポンプは、流体を少なくとも１本の溶液ラインから人の体内へ圧送する、請求項１７に記載の方法。
【請求項１９】
前記キャップを除去するステップ、前記スパイクキャップを除去するステップ、および前記キャップを対応する前記スパイクキャップと係合させるステップは、
対応するコネクタ端部を被覆した状態の前記キャップの各々を移動して、対応するスパイクキャップと係合させることと、
前記キャップと係合した状態の前記スパイクキャップを、前記対応するスパイクから除去することと、
前記スパイクキャップと係合した状態の前記キャップを、前記溶液ラインの対応するコネクタ端部から除去することと
を備える、請求項１８に記載の方法。
【請求項２０】
前記複数の溶液ラインを提供するステップは、
前記複数の溶液ラインを、前記流体ハンドリングシステムのキャリッジの対応する溝内に配置することを備える、請求項１９に記載の方法。
【請求項２１】
前記キャップを除去するステップ、前記スパイクキャップを除去するステップ、および前記キャップを対応する前記スパイクキャップと係合させるステップは、
前記キャリッジを移動させて、前記キャリッジに携えられた前記溶液ライン上のキャップが対応するスパイクキャップを受容できるようにすることと、
前記キャップとスパイクキャップを共に固定するために、前記キャップをキャップストリッパと係合させることと、
前記固定されたキャップおよびスパイクキャップを前記スパイクおよび前記コネクタ端部に関連して移動することで、前記スパイクキャップを前記スパイクから除去すること、および前記キャップを前記コネクタ端部から除去することと
を備える、請求項２０に記載の方法。
【請求項２２】
前記流体ハンドリングシステムは、前記システムの構成部品を包囲するハウジングと、前記ハウジングに可動に取り付けられたドアとを含み、前記キャリッジは前記ドアに取り付けられている、請求項２１に記載の方法。